(57)【要約】  筐体の一側面に配置され、バルブを固定するバルブ固定板は、筐体の外方に面した一面側に、水平方向に延在し、筐体の内方へ凹むドレン導水溝が形成されている。バルブ固定板は、ドレン導水溝が、筐体の底板における周縁部に上方に向けて立ち上げて形成されたフランジ部の上端を鉛直方向に跨いだ状態で、一面側の下部をフランジ部の内側に当接させて固定されている。これにより、バルブおよびバルブ固定板に生じる結露水をバルブ固定板の一面上に沿って滴下させ、ドレン導水溝とフランジ部の上端との間の隙間を通してドレン導水溝内に導き、フランジ部を乗り越えて筐体外に飛散することなく確実にフランジ部の内側を通って筐体の底板へと回収できる。かくして、室外機の筐体内におけるスペースを減らすことなく、バルブおよびバルブ固定板に生じる結露水を確実に筐体の底板に回収できる。
2020157826.tif 000002
【特許請求の範囲】
【請求項１】
筐体と、
前記筐体の内部に配置された冷媒配管と、
前記筐体の一側面に配置され、前記冷媒配管と前記筐体の外部に配置された冷媒配管とを接続するバルブと、
前記筐体の前記一側面に配置され、前記バルブを固定するバルブ固定板と、
前記筐体の底板における周縁部に上方に向けて立ち上げて形成されたフランジ部と、
を備える空気調和装置の室外機であって、
前記バルブ固定板は、前記筐体の外方に面した一面側に、水平方向に延在し、前記筐体の内方へ凹むドレン導水溝が形成されており、
前記バルブ固定板は、前記ドレン導水溝が、前記フランジ部の上端を鉛直方向に跨いだ状態で、前記一面側の下部を前記フランジ部の内側に当接させて固定されている、空気調和装置の室外機。
【請求項２】
前記フランジ部は、鉛直方向の最頂部となる複数の上端が、水平方向において異なる位置にそれぞれ形成されており、
前記バルブ固定板の前記一面側における前記フランジ部の前記複数の上端と対向する位置には、それぞれ前記ドレン導水溝が形成されている、請求項１に記載の空気調和装置の室外機。
【請求項３】
前記バルブ固定板の前記一面側の下部には、前記底板に向けて鉛直方向に延在し、前記筐体の内方へ凹む排水溝が形成されており、
前記ドレン導水溝は前記排水溝と連通する、請求項１または２に記載の空気調和装置の室外機。
【請求項４】
前記ドレン導水溝には、前記筐体の内方へ凹む方向に傾斜する傾斜部が形成されている、請求項１〜３のいずれか一項に記載の空気調和装置の室外機。
【請求項５】
前記ドレン導水溝は、前記傾斜部が前記排水溝に向けて下り方向に傾斜している、請求項４に記載の空気調和装置の室外機。
【請求項６】
前記ドレン導水溝は、断面がＵ字形状に形成されている、請求項１〜５のいずれか一項に記載の空気調和装置の室外機。
【発明の詳細な説明】
【技術分野】
【０００１】
本発明は、空気調和装置が備える室外機に関する。
【背景技術】
【０００２】
一般に、空気調和装置において、室内機と室外機とは冷媒配管を介して接続される。かかる室外機には、冷媒配管が接続される前の状態における冷媒漏洩を防ぐ目的でバルブが取り付けられている（特許文献１参照）。このバルブは、室外機の筐体の一側面に設けられたバルブ固定板に取り付けられる。また、バルブおよびバルブ固定板は、冷媒配管の取り付け、またはメンテナンスの際における作業性確保のため、通常、室外機の筐体における底板の周囲に形成されたフランジに対し、当該筐体の内側から垂直に押し当てて固定される。【０００３】
このようなバルブは、ガス用冷媒配管に取り付けられるガス管バルブと、液用冷媒配管に取り付けられる液管バルブとの２種類が上下に配置されており、これらは着脱可能なカバーによって覆われている。このカバーはバルブ固定板が取り付けられている室外機の筐体の一側面と、バルブ固定板と、に直接ネジで固定される。【０００４】
室内機と室外機とが冷媒配管によって接続された状態で、バルブ内に低圧冷媒が流通される場合、バルブおよびバルブ固定板は、冷媒配管内の冷媒によって周囲の空気よりも冷やされる。そのため、バルブおよびバルブ固定板の表面には結露水が付着する。この結露水は、バルブ固定板を伝って当該バルブ固定板に形成された排水溝を通り筐体の底板へと導かれる経路、またはカバーを伝って筐体の底板に導かれる経路にて回収される。このとき、室外機では、結露水が筐体の底板から外部へ漏れるのを防止しなければならない。
【先行技術文献】
【特許文献】
【０００５】
【特許文献１】特開平１０−２５９９３２号公報
【発明の概要】
【発明が解決しようとする課題】
【０００６】
しかしながら、結露水の付着する場所によっては前述した経路では回収しきれず、結露水が室外機の筐体における底板の周囲に形成されたフランジを乗り越えて筐体の外部に漏れてしまう虞があった。これは、バルブ固定板とカバーとがネジで固定されつつも、これらの間に結露水が通れる程の微小な隙間が空いてしまうこと、および、排水溝へ導かれない結露水が存在すること等が原因であると考えられる。【０００７】
仮に、ベランダまたは建物の外壁等に高さを有して設置された室外機において、結露水が室外機の筐体の底板から外部へ漏れた場合、高さを有して設置された分、当該室外機から結露水が広範囲で飛散する虞がある。【０００８】
これらの問題を解決するために、バルブ固定板全体を筐体の内部方向へ移動させる反面、バルブ固定板のネジ受け部を筐体の外部側に押し出し、当該筐体の底板で結露水を回収可能な構造も考えられる。ところが、この場合、バルブ固定板全体を筐体の内部方向へ移動させる分、筐体内におけるスペースが減り、配管または部品等を取り回す際の制約が生じたり、メンテナンスの際における作業性が悪化したり、といった懸念される問題点があった。【０００９】
本発明は、前述した課題を解決するためになされたものであり、室外機の筐体内におけるスペースを減らすことなく、バルブおよびバルブ固定板に生じる結露水を確実に筐体の底板に回収できる空気調和装置の室外機を提供することを目的とする。
【課題を解決するための手段】
【００１０】
本発明に係る空気調和装置の室外機は、筐体と、前記筐体の内部に配置された冷媒配管と、前記筐体の一側面に配置され、前記冷媒配管と前記筐体の外部に配置された冷媒配管とを接続するバルブと、前記筐体の前記一側面に配置され、前記バルブを固定するバルブ固定板と、前記筐体の底板における周縁部に上方に向けて立ち上げて形成されたフランジ部と、を備える空気調和装置の室外機であって、前記バルブ固定板は、前記筐体の外方に面した一面側に、水平方向に延在し、前記筐体の内方へ凹むドレン導水溝が形成されており、前記バルブ固定板は、前記ドレン導水溝が、前記フランジ部の上端を鉛直方向に跨いだ状態で、前記一面側の下部を前記フランジ部の内側に当接させて固定されているものである。
【発明の効果】
【００１１】
本発明に係る空気調和装置の室外機によれば、バルブ固定板が、一面側に設けられたドレン導水溝によって底板のフランジ部の上端を鉛直方向に跨いだ状態で、一面側の下部をフランジ部の内側に当接させて固定されている。このため、バルブおよびバルブ固定板に生じる結露水を、バルブ固定板の一面上に沿って滴下させ、ドレン導水溝とフランジ部の上端との間の隙間を通してドレン導水溝内に導き、フランジ部を乗り越えて筐体外に飛散することなく確実にフランジ部の内側を通って筐体の底板へと回収できる。このとき、バルブ固定板は、全体として筐体の内部方向へ移動されることなく、筐体の一側面に配置されている。かくして、室外機の筐体内におけるスペースを減らすことなく、バルブおよびバルブ固定板に生じる結露水を確実に筐体の底板に回収できる。
【図面の簡単な説明】
【００１２】
【図１】本発明の実施の形態１に係る空気調和装置の冷媒回路を示す模式図である。
【図２】図１の空気調和装置における室外機の構成を示す斜視図である。
【図３】図２の空気調和装置におけるバルブ固定板を拡大して示す斜視図である。
【図４】図２の空気調和装置におけるバルブ固定板と底板との組み付け状態を示す正面図である。
【図５】図４のバルブ固定板と底板との組み付け状態におけるＡ−Ａ断面を示す断面図である。
【図６】図５のバルブ固定板と底板との組み付け状態における要部を示す拡大図である。
【図７】従来の空気調和装置における室外機のバルブ固定板と底板との組み付け状態における要部の説明に供する拡大図である。
【発明を実施するための形態】
【００１３】
以下、図面に基づいて本発明の実施の形態について説明する。なお、明細書全文に示す構成要素の形態は、あくまで例示であってこれらの記載に限定されるものではない。すなわち、本発明は、請求の範囲および明細書全体から読み取ることのできる発明の要旨又は思想に反しない範囲で適宜変更可能である。また、そのような変更を伴う空気調和装置も本発明の技術思想に含まれる。さらに、各図において、同一の符号を付したものは、同一の又はこれに相当するものであり、これは明細書の全文において共通している。
【００１４】
実施の形態１．
＜空気調和装置１の構成＞
図１を参照しながら、本発明の実施の形態１に係る空気調和装置１について説明する。図１は、本発明の実施の形態１に係る空気調和装置１の冷媒回路５を示す模式図である。
【００１５】
図１に示すように、本実施の形態１に係る空気調和装置１は、冷媒を介して外気と室内の空気との間で熱を移動させることにより、冷房または暖房して室内の空気調和を行うものであり、室内機２と室外機３とを有している。
【００１６】
空気調和装置１においては、室内機２と室外機３とが内部に配置される冷媒配管４および外部に配置される冷媒配管４ａ、４ｂを介して接続され、冷媒を循環させる冷媒回路５が構成されている。冷媒回路５には、圧縮機１０、流路切替装置１１、室外熱交換器１２、膨張弁１３および室内熱交換器１４が設けられ、これらが冷媒配管４、４ａ、４ｂを介して接続されている。なお、室外機３の内部に配置される冷媒配管４には、外部に配置される冷媒配管４ａ、４ｂとの接続のための後述するバルブ３６（図２参照）が設けられるが、ここでは便宜上、図示を割愛する。
【００１７】
室外機３は、圧縮機１０、流路切替装置１１、室外熱交換器１２および膨張弁１３を有している。圧縮機１０は、吸入した冷媒を圧縮して吐出する。ここで、圧縮機１０は、インバータによって駆動制御されてもよい。この場合、制御部６によって運転周波数を変化させて、圧縮機１０の容量を変更することができる。なお、圧縮機１０の容量とは、単位時間当たりに送り出す冷媒の量である。流路切替装置１１は、例えば四方弁であり、冷媒流路の方向の切り換えが行われる装置である。
【００１８】
空気調和装置１は、制御部６からの指示に基づいて、流路切替装置１１を用いて冷媒の流れを切り換えることで、暖房運転または冷房運転を実現することができる。室外熱交換器１２は、冷媒と室外空気との熱交換を行う。また、室外熱交換器１２には、冷媒と室外空気との間の熱交換の効率を高めるための室外送風機１５が、当該室外熱交換器１２に対向して設けられている。ここで、室外送風機１５は、インバータによって駆動制御されてもよい。この場合、室外送風機１５は、インバータによって駆動源であるファンモーター１６の運転周波数を変化され、ファンの回転速度を変更する。なお、室外送風機１５は、同様の効果が得られるものであれば、例えば、ファンの種類はシロッコファンでもよいし、プラグファンでもよい。また、室外送風機１５は押し込み方式でもよいし、引っぱり方式でもよい。
【００１９】
ここで、室外熱交換器１２は、暖房運転時において蒸発器として機能し、冷媒配管４ｂ側から流入した低圧の冷媒と、室外空気との間で、熱交換を行って冷媒を蒸発させて気化させ、冷媒配管４ａ側に流出させる。また、室外熱交換器１２は、冷房運転時において凝縮器として機能し、冷媒配管４ａ側から流路切替装置１１を介して流入した圧縮機１０にて圧縮済の冷媒と、室外空気との間で熱交換を行い、冷媒を凝縮させて液化させ、冷媒配管４ｂ側に流出させる。なお、ここでは室外空気を外部流体として用いる場合を例に説明したが、外部流体は室外空気を含む気体に限らず、水を含む液体であってもよい。
【００２０】
膨張弁１３は、冷媒の流量を制御する絞り装置であり、膨張弁１３の開度を変化させることで冷媒配管４を流れる冷媒の流量を調節することにより、冷媒の圧力を調整する。膨張弁１３は、冷房運転時において、高圧の液状態の冷媒を低圧の気液二相状態の冷媒へと膨張させ減圧させる。なお、膨張弁１３としては、同様の効果が得られるものであれば、電子膨張弁またはキャピラリーチューブ等でもよい。例えば、膨張弁１３が、電子式膨張弁で構成された場合は、制御部６の指示に基づいて開度調整が行われる。
【００２１】
室内機２は、冷媒と室内空気との間で熱交換を行う室内熱交換器１４と、室内熱交換器１４が熱交換を行う空気の流れを調整する室内送風機１７と、を有する。
【００２２】
室内熱交換器１４は、暖房運転時において凝縮器として機能し、冷媒配管４ａ側から流入した冷媒と、室内空気との間で熱交換を行い、冷媒を凝縮させて液化させ、冷媒配管４ｂ側に流出させる。また、室内熱交換器１４は、冷房運転時において蒸発器として機能し、冷媒配管４ｂ側から流入した膨張弁１３によって低圧状態にされた冷媒と、室内空気との間で熱交換を行い、冷媒に空気の熱を奪わせて蒸発させて気化させ、冷媒配管４ａ側に流出させる。なお、ここでは室内空気を外部流体として用いる場合を例に説明したが、外部流体は室内空気を含む気体に限らず、水を含む液体であってもよい。
【００２３】
室内送風機１７の運転速度は、ユーザーの設定により決定される。ここで、室内送風機１７は、インバータによって駆動制御されることが好ましい。この場合、室内送風機１７は、インバータによってファンモーター１８の運転周波数を変化され、ファンの回転速度を変更する。なお、室内送風機１７は、同様の効果が得られるものであれば、例えば、ファンの種類はシロッコファンでもよいし、プラグファンでもよい。また、室内送風機１７は押し込み方式でもよいし、引っぱり方式でもよい。
【００２４】
＜空気調和装置１の冷房および暖房運転の動作例＞
次に、空気調和装置１の動作例として冷房運転の動作を説明する。圧縮機１０によって圧縮され吐出された高温高圧のガス冷媒は、流路切替装置１１を経由して、室外熱交換器１２に流入する。室外熱交換器１２に流入したガス冷媒は、室外送風機１５により送風される外気との熱交換により凝縮し、低温の冷媒となって、室外熱交換器１２から流出する。室外熱交換器１２から流出した冷媒は、膨張弁１３によって膨張および減圧され、低温低圧の気液二相冷媒となる。この気液二相冷媒は、室内機２の室内熱交換器１４に流入し、室内送風機１７により送風される室内空気との熱交換により蒸発し、低温低圧のガス冷媒となって室内熱交換器１４から流出する。このとき、冷媒に吸熱されて冷却された室内空気は、空調空気（吹出風）となって、室内機２から空調対象空間である室内に吹き出される。室内熱交換器１４から流出したガス冷媒は、流路切替装置１１を経由して圧縮機１０に吸入され、再び圧縮される。空気調和装置１の冷房運転は、以上の動作が繰り返される（図１中、実線の矢印で示す）。
【００２５】
次に、空気調和装置１の動作例として暖房運転の動作を説明する。圧縮機１０によって圧縮され吐出された高温高圧のガス冷媒は、流路切替装置１１を経由して、室内機２の室内熱交換器１４に流入する。室内熱交換器１４に流入したガス冷媒は、室内送風機１７により送風される室内空気との熱交換により凝縮し、低温の冷媒となって、室内熱交換器１４から流出する。このとき、ガス冷媒から熱を受け取り暖められた室内空気は、空調空気（吹出風）となって、室内機２から室内に吹き出される。室内熱交換器１４から流出した冷媒は、膨張弁１３によって膨張および減圧され、低温低圧の気液二相冷媒となる。この気液二相冷媒は、室外機３の室外熱交換器１２に流入し、室外送風機１５により送風される外気との熱交換により蒸発し、低温低圧のガス冷媒となって室外熱交換器１２から流出する。室外熱交換器１２から流出したガス冷媒は、流路切替装置１１を経由して圧縮機１０に吸入され、再び圧縮される。空気調和装置１の暖房運転は、以上の動作が繰り返される（図１中、破線の矢印で示す）。
【００２６】
＜室外機３の構成＞
ここで、図２を参照しながら、本実施の形態１に係る空気調和装置１の室外機３について説明する。図２は、図１の空気調和装置１における室外機３の構成を示す斜視図である。
【００２７】
図２に示すように、室外機３は、外郭を覆う筐体として、一側面を覆うサイドパネル３０ａ、前面およびサイドパネル３０ａとは反対の他側面を覆うフロントパネル３０ｂ、天面を覆うトップパネル３０ｃおよび底面を覆う底板３１を備えている。また、底板３１は、周縁部に鉛直方向の上方に向けて立ち上げて形成されたフランジ部３１ａを有している。そして、筐体は、全体として直方体形状で形成されている。なお、室外機３の筐体は、当該筐体の背面側に配置され、室外熱交換器１２を覆う不図示の背面パネルを備えていてもよい。
【００２８】
室外機３における筐体の内部は、仕切板３２によって風路室３３と機械室３４とに区画されている。風路室３３における筐体の前面側には、室外送風機１５が設置されている。また、風路室３３における室外送風機１５の背面側には、室外熱交換器１２が設置されている。
【００２９】
室外送風機１５は複数の翼１５ａを備え、ファンモーター１６により回転駆動される。また、室外機３の筐体における室外送風機１５の前面側に位置するフロントパネル３０ｂには、筐体の内部の空気を当該筐体の外部へと排出するためのスリット状の吹出口３０ｂａが設けられている。室外熱交換器１２は、詳細な図示を省略するが冷媒を流通させる伝熱管と、伝熱管を流れる冷媒と外気との間の伝熱面積を大きくするためのフィンとを備えた構造を有している。
【００３０】
機械室３４には、室外熱交換器１２と冷媒配管４を介して接続され、当該室外熱交換器１２へと冷媒を供給する圧縮機１０が設置されている。また、機械室３４には、室外機３の運転有無を検知する電流センサーをはじめ、パワーモジュールおよびインバータ基板等の電気部品３５が設置されている。
【００３１】
さらに、機械室３４には、室外機３の筐体の一側面に配置され、筐体の内部に配置された冷媒配管４と、筐体の外部に配置された冷媒配管４ａ、４ｂ（図１参照）とを接続するバルブ３６が設けられている。このバルブ３６は、ガス用冷媒配管に取り付けられるガス管バルブ３６ａと、液用冷媒配管に取り付けられる液管バルブ３６ｂとの２種類から構成され、室外機３の筐体の一側面に設けられたバルブ固定板３７の上下に配置されて取り付けられている。つまり、バルブ固定板３７は、全体として筐体の内部方向へ移動されることなく、筐体の一側面に配置されている。また、これらバルブ３６およびバルブ固定板３７は、着脱可能なカバー３８によって覆われている。このカバー３８は、室外機３の筐体の一側面を覆うサイドパネル３０ａと、バルブ固定板３７とにネジで固定される。
【００３２】
＜バルブ固定板３７の構成＞
ここで、図３〜図７を参照しながら、バルブ固定板３７の構成について説明する。
図３は、図２の空気調和装置１におけるバルブ固定板３７を拡大して示す斜視図である。図４は、図２の空気調和装置１におけるバルブ固定板３７と底板３１との組み付け状態を示す正面図である。図５は、図４のバルブ固定板３７と底板３１との組み付け状態におけるＡ−Ａ断面を示す断面図である。図６は、図５のバルブ固定板３７と底板３１との組み付け状態における要部を示す拡大図である。図７は、従来の空気調和装置における室外機のバルブ固定板と底板との組み付け状態における要部の説明に供する拡大図である。
【００３３】
図３に示すように、本実施の形態１の場合、バルブ固定板３７には、室外機３の筐体の外方に面した一面３７ａ側に、水平方向に延在し、当該筐体の内方へ凹むドレン導水溝４０が形成されている。このドレン導水溝４０は、例えば、断面がＵ字形状に形成されている。そして、図４〜図６に示すように、バルブ固定板３７は、ドレン導水溝４０によって底板３１におけるフランジ部３１ａの上端３１ｂ、３１ｃを鉛直方向に跨いだ状態で、一面３７ａ側の下部３７ｂをフランジ部３１ａの内側に当接させて固定されている。すなわち、バルブ固定板３７は、ドレン導水溝４０の前述した凹む部位に、フランジ部３１ａの上端３１ｂ、３１ｃが位置する状態で、一面３７ａ側の下部３７ｂをフランジ部３１ａの内側に当接させて固定されている。これにより、バルブ固定板３７のドレン導水溝４０と、フランジ部３１ａの上端３１ｂ、３１ｃとの間には隙間が形成される。なお、図５および図６においては、図４のバルブ固定板３７と底板３１との組み付け状態におけるＡ−Ａ断面およびその要部Ｃを示すため、フランジ部３１ａの上端３１ｃのみを図示するが、上端３１ｂにおいても同様の作用、効果を奏する。
【００３４】
ここで、例えば、従来の空気調和装置における室外機では図７に示すように、バルブ固定板３７がドレン導水溝４０（図６参照）を備えていない。このため、結露水Ｗは、自重によりバルブ固定板３７の一面３７ａ上に沿って鉛直方向、すなわち重力方向に滴下し、フランジ部３１ａの上端３１ｃを乗り越えて外部に飛散する。
【００３５】
これに対して、本実施の形態１における室外機３では、図６に示すように、バルブ固定板３７が前述のごとくドレン導水溝４０を備えることで、バルブ固定板３７のドレン導水溝４０と、フランジ部３１ａの上端３１ｂ、３１ｃとの間に隙間が形成されている。このため、バルブ固定板３７の一面３７ａ上を滴下する結露水Ｗは、当該一面３７ａ上に沿って、ドレン導水溝４０とフランジ部３１ａの上端３１ｂ、３１ｃとの間の隙間を通り、ドレン導水溝４０内へと確実に導かれる。
【００３６】
また、本実施の形態１の場合、バルブ固定板３７と対向するフランジ部３１ａは、鉛直方向の最頂部となる複数の上端３１ｂ、３１ｃが、水平方向において異なる位置にそれぞれ形成されている。そして、バルブ固定板３７の一面３７ａにおけるフランジ部３１ａの上端３１ｂ、３１ｃと対向する位置には、それぞれドレン導水溝４０が形成されている。
【００３７】
さらに、バルブ固定板３７は、一面３７ａ側の下部３７ｂに底板３１に向けて鉛直方向に延在し、室外機３の筐体の内方へ凹む排水溝４１が形成されていることが望ましい。このとき、排水溝４１はドレン導水溝４０と連通していることが好ましい。
【００３８】
なお、ドレン導水溝４０には、室外機３の筐体の内方へ向けて傾斜する傾斜部４０ａが形成されていることが好ましい。このとき、ドレン導水溝４０の傾斜部４０ａは、排水溝４１に向けて下り方向に傾斜していることが望ましい。
【００３９】
＜実施の形態１における効果＞
以上、説明したように、本実施の形態１に係る空気調和装置１の室外機３では、バルブ固定板３７の一面３７ａ側におけるフランジ部３１ａの上端３１ｂ、３１ｃと対応する位置にドレン導水溝４０が形成されている。そして、バルブ固定板３７が、一面３７ａ側に設けられたドレン導水溝４０によって底板３１のフランジ部３１ａの上端３１ｂ、３１ｃを鉛直方向に跨いだ状態で、一面３７ａ側の下部３７ｂをフランジ部３１ａの内側に当接させて固定されている。このため、バルブ３６およびバルブ固定板３７に生じる結露水Ｗを、バルブ固定板３７の一面３７ａ上に沿って滴下させ、ドレン導水溝４０とフランジ部３１ａの上端３１ｂ、３１ｃとの間の隙間を通してドレン導水溝４０内に導くことができる。よって、この結露水Ｗを、フランジ部３１ａを乗り越えて筐体外に飛散させることなく、確実にフランジ部３１ａの内側を通って筐体の底板３１へと回収できる。このとき、バルブ固定板３７は、全体として筐体の内部方向へ移動されることなく、筐体の一側面に配置されている。かくして、室外機３の筐体内におけるスペースを減らすことなく、バルブ３６およびバルブ固定板３７に生じる結露水Ｗを確実に筐体の底板３１に回収できる。
【００４０】
また、フランジ部３１ａは、鉛直方向の最頂部となる複数の上端３１ｂ、３１ｃが、水平方向において異なる位置にそれぞれ形成され、これらに対向するバルブ固定板３７の一面３７ａにおける対応する位置には、それぞれドレン導水溝４０が形成されている。従って、バルブ固定板３７は、フランジ部３１ａが水平方向の異なる複数の位置に最頂部としての上端３１ｂ、３１ｃを有する場合においても、当該上端３１ｂ、３１ｃに対応してドレン導水溝４０を位置させることができる。これにより、本実施の形態１における室外機３では、バルブ固定板３７の一面３７ａ上を滴下する結露水Ｗを、フランジ部３１ａの上端３１ｂ、３１ｃを乗り越えて外部に飛散させることなく、前記隙間を通して確実にドレン導水溝４０内へと導くことができる。
【００４１】
さらに、バルブ固定板３７は、一面３７ａ側の下部３７ｂに底板３１に向けて鉛直方向に延在し、室外機３の筐体の内方へ凹む排水溝４１が形成されていることが望ましく、排水溝４１はドレン導水溝４０と連通していることが好ましい。これにより、ドレン導水溝４０内へと導かれた結露水Ｗを、速やかに排水溝４１へと流通させ、底板３１への回収率を向上できる。このとき、ドレン導水溝４０の排水溝４１と連通する側の端部と異なる端部へ流通された結露水Ｗは、フランジ部３１ａの内側を伝って底板３１へと回収される。
【００４２】
しかも、ドレン導水溝４０は、断面がＵ字形状に形成されていることにより、表面張力の作用で結露水Ｗの流水性を向上できるので、当該結露水Ｗをより効果的に底板３１へと回収できる。
【００４３】
なお、ドレン導水溝４０には、室外機３の筐体の内方へ凹む方向に傾斜する傾斜部４０ａが形成されていることが好ましい。このとき、ドレン導水溝４０の傾斜部４０ａは、排水溝４１に向けて下り方向に傾斜していることが望ましい。これにより、図４に示すように、バルブ３６およびバルブ固定板３７の要部として示すエリアＢ等に生じる結露水Ｗを、図中矢印で示す如くドレン導水溝４０へと導き、当該ドレン導水溝４０および傾斜部４０ａを通して排水溝４１へと効率よく導くことができる。よって、このバルブ固定板３７を有する室外機３においては、結露水Ｗの底板３１への回収率を高めることができる。
【００４４】
また、図示省略するが、ドレン導水溝４０は、延在方向においてフランジ部３１ａの上端３１ｂ、３１ｃを鉛直方向に跨いでいれば、水平方向において水平に延在することに限らず、水平方向において上り傾斜または下り傾斜して設けられてもよい。これにより、ドレン導水溝４０に導かれた結露水Ｗを、より速やかに底板３１へと回収できる。
【符号の説明】
【００４５】
１  空気調和装置、２  室内機、３  室外機、４、４ａ、４ｂ  冷媒配管、５  冷媒回路、６  制御部、１０  圧縮機、１１  流路切替装置、１２  室外熱交換器、１３  膨張弁、１４  室内熱交換器、１５  室外送風機、１５ａ  翼、１６  ファンモーター、１７  室内送風機、１８  ファンモーター、３０ａ  サイドパネル、３０ｂ  フロントパネル、３０ｂａ  吹出口、３０ｃ  トップパネル、３１  底板、３１ａ  フランジ部、３１ｂ、３１ｃ  上端、３２  仕切板、３３  風路室、３４  機械室、３５  電気部品、３６  バルブ、３６ａ  ガス管バルブ、３６ｂ  液管バルブ、３７  バルブ固定板、３７ａ  一面、３７ｂ  下部、３８  カバー、４０  ドレン導水溝、４０ａ  傾斜部、４１  排水溝、Ｂ  エリア、Ｗ  結露水。
【図１】
2020157826.tif 000003
【図２】
2020157826.tif 000004
【図３】
2020157826.tif 000005
【図４】
2020157826.tif 000006
【図５】
2020157826.tif 000007
【図６】
2020157826.tif 000008
【図７】
2020157826.tif 000009
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に配置された冷媒配管と、
前記筐体の一側面に配置され、前記冷媒配管と前記筐体の外部に配置された冷媒配管とを接続するバルブと、
前記筐体の前記一側面に配置され、前記バルブを固定するバルブ固定板と、
前記筐体の底板における周縁部に上方に向けて立ち上げて形成されたフランジ部と、
を備える空気調和装置の室外機であって、
前記バルブ固定板は、前記筐体の外方に面した一面側に、水平方向に延在し、前記筐体の内方へ凹むドレン導水溝が形成されており、
前記バルブ固定板は、前記ドレン導水溝が、前記フランジ部の上端を鉛直方向に跨いだ状態で、前記一面側の下部を前記フランジ部の内側に当接させて固定されている、空気調和装置の室外機。
【請求項２】
前記フランジ部は、鉛直方向の最頂部となる複数の上端が、水平方向において異なる位置にそれぞれ形成されており、
前記バルブ固定板の前記一面側における前記フランジ部の前記複数の上端と対向する位置には、それぞれ前記ドレン導水溝が形成されている、請求項１に記載の空気調和装置の室外機。
【請求項３】
前記バルブ固定板の前記一面側の下部には、前記底板に向けて鉛直方向に延在し、前記筐体の内方へ凹む排水溝が形成されており、
前記ドレン導水溝は前記排水溝と連通する、請求項１または２に記載の空気調和装置の室外機。
【請求項４】
前記ドレン導水溝には、前記筐体の内方へ凹む方向に傾斜すると共に、前記排水溝に向けて下り方向に傾斜する傾斜部が形成されている、請求項３に記載の空気調和装置の室外機。
【請求項５】
前記ドレン導水溝は、断面がＵ字形状に形成されている、請求項１〜４のいずれか一項に記載の空気調和装置の室外機。
【国際調査報告】
2020157826.tif 000010
2020157826.tif 000011
2020157826.tif 000012
2020157826.tif 000013